【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
複数の駆動電極を有する第一のプレート；
1つまたは複数の接地電極を有し、該第一のプレートからギャップによって向かい側に離間している、第二のプレート；
電圧源；
複数の感知回路であって、該複数の感知回路からの感知回路が各駆動電極に電気的に接続されており、各感知回路が、該感知回路の充電回路中のコンデンサの充電電圧を検出するように構成されている、複数の感知回路；および
該電圧源からの電圧を該第一のプレートおよび該第二のプレートに交互に印加するように構成された制御装置であって、該第一のプレートへの電圧の印加が、該ギャップ内で1つまたは複数の小滴を動かすために該複数の駆動電極からの1つまたは複数の駆動電極に電圧を印加することを含み、該第二のプレートへの電圧の印加が、該1つまたは複数の接地電極に電圧を印加することを含み、さらに、該制御装置が、該第二のプレートへの電圧の印加時に該複数の感知回路のそれぞれからの入力に基づいて該複数の駆動電極に対する1つまたは複数の小滴の位置を並行的に感知するように構成されている、制御装置
を含む、並行小滴検出を備えたデジタルマイクロ流体（DMF）装置。
【請求項２】
複数の感知回路の各感知回路が充電回路、放電回路およびアナログ-デジタル変換器（ADC）を含み、かつ任意で、さらに、
該放電回路がトランジスタおよび接地を含む、または、
該充電回路がコンデンサおよびダイオードを含む、または、
該ADCが、該充電回路の充電電圧を検出するように構成されている、
請求項1記載の装置。
【請求項３】
複数の感知回路の各感知回路が充電回路、放電回路およびアナログ-デジタル変換器（ADC）を含み、さらに、制御装置が、該放電回路、次いで該充電回路を順次アクティブ化するように、および該複数の感知回路のすべての感知回路に関して並行的に該ADCから該充電回路の充電電圧を受け取るように構成されている、請求項1記載の装置。
【請求項４】
電圧源と1つまたは複数の接地電極と複数の駆動電極との間に接続されたフォワード／リバーススイッチをさらに含み、制御装置が、該フォワード／リバーススイッチを作動させて、第一のプレートへの電圧印加と第二のプレートへの電圧印加とを切り替えるように構成されている、請求項1記載の装置。
【請求項５】
複数の電極スイッチをさらに含み、該複数の電極スイッチからの各電極スイッチが、複数の駆動電極のうちの1つの駆動電極に接続されており、かつスイッチ制御装置を介して制御装置によって制御されて、電圧源からの電圧を該複数の駆動電極のそれぞれの駆動電極に印加する、請求項1記載の装置。
【請求項６】
電圧源が高電圧電源を含む、請求項1記載の装置。
【請求項７】
制御装置が、複数の感知回路のそれぞれによって感知された電圧をしきい電圧値と比較して、複数の駆動電極に対する1つまたは複数の小滴の位置を決定する、または、1つまたは複数の小滴のサイズを決定するように構成されている、請求項1記載の装置。
【請求項８】
第一のプレートが第一の疎水性層を有し、かつ第二のプレートが第二の疎水性層を有する、請求項1記載の装置。
【請求項９】
デジタルマイクロフルイディクス（DMF）装置において複数の小滴の位置を同時に決定する方法であって、
第一のプレートと第二のプレートとの間のギャップ内で1つまたは複数の小滴を動かすために該第一のプレート中の複数の駆動電極に電圧を印加する工程；
該第二のプレート中の1つまたは複数の接地電極に電圧を印加する工程；
該1つまたは複数の接地電極に電圧を印加しながら、複数の感知回路において充電電圧を同時並行的に感知する工程であって、各駆動電極が該複数の感知回路からの別個の感知回路と関連付けられている、工程；および
感知された該充電電圧に基づいて、該複数の駆動電極に対する該1つまたは複数の小滴の位置を決定する工程
を含む方法。
【請求項１０】
複数の駆動電極に電圧を印加する工程および1つまたは複数の接地電極に電圧を印加する工程が、同じ高電圧源からの電圧を印加することを含む、請求項9記載の方法。
【請求項１１】
複数の駆動電極に電圧を印加する工程が、隣接する駆動電極に順次に電圧を印加することを含む、請求項9記載の方法。
【請求項１２】
1つまたは複数の小滴の決定された位置に基づいて複数の駆動電極のうちの1つまたは複数に電圧を再び印加する工程をさらに含む、請求項9記載の方法。
【請求項１３】
第二のプレート中の1つまたは複数の接地電極に電圧を印加する工程が、第一のプレート中の複数の駆動電極に電圧を印加せずに、該1つまたは複数の接地電極に電圧を印加することを含む、請求項9記載の方法。
【請求項１４】
1つまたは複数の接地電極に電圧を印加する前に、第一のプレート中の複数の感知回路のそれぞれにおいて電圧を放電する工程、および任意で、次いで、1つまたは複数の接地電極に電圧を印加しているとき複数の感知回路のそれぞれにおけるコンデンサを充電する工程、
または、
1つまたは複数の接地電極に電圧を印加しているとき第一のプレート中の複数の感知回路のそれぞれにおけるコンデンサを充電する工程
のいずれかをさらに含む、請求項9記載の方法。
【請求項１５】
1つまたは複数の小滴の位置を決定する工程が、
感知された充電電圧を所定の値または値の範囲と比較して、小滴が駆動電極上にあるかまたは駆動電極に隣接しているかを決定すること、または、
感知された充電電圧を所定のしきい電圧値と比較して、小滴が駆動電極上にあるかまたは駆動電極に隣接しているかを決定すること
を含む、請求項9記載の方法。
【請求項１６】
感知された充電電圧に基づいて1つまたは複数の小滴のサイズを決定する工程、
1つまたは複数の小滴の決定された位置に基づいて小滴の動きを修正する工程、および、
感知された充電電圧に基づいて蒸発速度を決定する工程
のうちの1つまたは複数をさらに含む、請求項9記載の方法。
【手続補正２】
【補正対象書類名】明細書
【補正対象項目名】００２４
【補正方法】変更
【補正の内容】
【００２４】
デジタルマイクロフルイディクス（DMF）装置において複数の小滴の位置を同時に決定する方法の例は、第一のプレートと第二のプレートとの間のギャップ内で1つまたは複数の小滴を動かすために第一のプレート中の複数の駆動電極に電圧を印加する工程；第一のプレート中の複数の駆動電極に電圧を印加していないとき、複数の感知回路の各感知回路において電圧を放電する工程であって、各駆動電極が複数の感知回路からの別個の感知回路と関連付けられている、工程；電圧を放電したのち、第二のプレート中の1つまたは複数の接地電極に電圧を印加する工程；1つまたは複数の接地電極に電圧を印加しながら、各感知回路において充電電圧を同時並行的に感知する工程；および、感知された充電電圧に基づいて、複数の駆動電極に対する1つまたは複数の小滴のサイズまたは位置を決定する工程を含み得る。
[本発明1001]
複数の駆動電極を有する第一のプレート；
1つまたは複数の接地電極を有し、該第一のプレートからギャップによって向かい側に離間している、第二のプレート；
電圧源；
複数の感知回路であって、該複数の感知回路からの感知回路が各駆動電極に電気的に接続されており、各感知回路が、該感知回路の充電回路中のコンデンサの充電電圧を検出するように構成されている、複数の感知回路；および
該電圧源からの電圧を該第一のプレートおよび該第二のプレートに交互に印加するように構成された制御装置であって、該第一のプレートへの電圧の印加が、該ギャップ内で1つまたは複数の小滴を動かすために該複数の駆動電極からの1つまたは複数の駆動電極に電圧を印加することを含み、該第二のプレートへの電圧の印加が、該1つまたは複数の接地電極に電圧を印加することを含み、さらに、該制御装置が、該第二のプレートへの電圧の印加時に該感知回路それぞれからの入力に基づいて該複数の駆動電極に対する1つまたは複数の小滴の位置を並行的に感知するように構成されている、制御装置
を含む、並行小滴検出を備えたデジタルマイクロ流体（DMF）装置。
[本発明1002]
複数の感知回路の各感知回路が充電回路、放電回路およびアナログ-デジタル変換器を含む、本発明1001の装置。
[本発明1003]
複数の感知回路の各感知回路が充電回路、放電回路およびアナログ-デジタル変換器（ADC）を含み、さらに、該放電回路がトランジスタおよび接地を含む、本発明1001の装置。
[本発明1004]
複数の感知回路の各感知回路が充電回路、放電回路およびアナログ-デジタル変換器（ADC）を含み、さらに、該充電回路がコンデンサおよびダイオードを含む、本発明1001の装置。
[本発明1005]
複数の感知回路の各感知回路が充電回路、放電回路およびアナログ-デジタル変換器（ADC）を含み、さらに、該ADCが、該充電回路の充電電圧を検出するように構成されている、本発明1001の装置。
[本発明1006]
複数の感知回路の各感知回路が充電回路、放電回路およびアナログ-デジタル変換器（ADC）を含み、さらに、制御装置が、該放電回路、次いで該充電回路を順次アクティブ化するように、および該複数の感知回路のすべての感知回路に関して並行的に該ADCから該充電回路の充電電圧を受け取るように構成されている、本発明1001の装置。
[本発明1007]
電圧源と1つまたは複数の接地電極と複数の駆動電極との間に接続されたフォワード／リバーススイッチをさらに含み、制御装置が、該フォワード／リバーススイッチを作動させて、第一のプレートへの電圧印加と第二のプレートへの電圧印加とを切り替えるように構成されている、本発明1001の装置。
[本発明1008]
複数の電極スイッチをさらに含み、該複数の電極スイッチからの各電極スイッチが、複数の駆動電極のうちの1つの駆動電極に接続されており、かつスイッチ制御装置を介して制御装置によって制御されて、電圧源からの電圧を該駆動電極に印加する、本発明1001の装置。
[本発明1009]
電圧電源が高電圧電源を含む、本発明1001の装置。
[本発明1010]
制御装置が、複数の感知回路のそれぞれによって感知された電圧をしきい電圧値と比較して、複数の駆動電極に対する1つまたは複数の小滴の位置を決定するように構成されている、本発明1001の装置。
[本発明1011]
制御装置が、複数の感知回路のそれぞれによって感知された電圧を所定の電圧値または電圧値の範囲と比較して、1つまたは複数の小滴のサイズを決定するように構成されている、本発明1001の装置。
[本発明1012]
第一の疎水性層を有する第一のプレート；
第二の疎水性層を有する第二のプレート；
該第一のプレート中の複数の駆動電極；
該第二のプレート中の1つまたは複数の接地電極；
電圧源；
該電圧源と該1つまたは複数の接地電極と該複数の駆動電極との間に接続されており、該電圧源と、該1つもしくは複数の接地電極または該複数の駆動電極のいずれかとの間の接続を切り替えるように構成された、フォワード／リバーススイッチ；
複数の電極スイッチであって、該複数の電極スイッチからの電極スイッチが、該フォワード／リバーススイッチと該複数の駆動電極の各駆動電極との間に接続されており、該電圧源から該電極への電圧の印加を可能にするように構成されている、複数の電極スイッチ；
複数の感知回路であって、該複数の感知回路からの感知回路が、該フォワード／リバーススイッチと各駆動電極との間に接続された該電極スイッチと、各電極との間に接続されている、複数の感知回路；および
該フォワード／リバーススイッチと、スイッチ制御装置を介した該複数の電極スイッチとを制御して、該フォワード／リバーススイッチが該電圧源を該複数の電極に接続するとき該第一のプレートと該第二のプレートとの間のギャップ内で1つまたは複数の小滴を動かすように構成され、さらに、該フォワード／リバーススイッチが該電圧源を該1つまたは複数の接地電極に接続するとき該感知回路それぞれからの入力に基づいて該複数の駆動電極に対する1つまたは複数の小滴の位置を決定するように構成された、制御装置
を含む、並行小滴検出を備えたデジタルマイクロ流体（DMF）装置。
[本発明1013]
デジタルマイクロフルイディクス（DMF）装置において複数の小滴の位置を同時に決定する方法であって、
第一のプレートと第二のプレートとの間のギャップ内で1つまたは複数の小滴を動かすために該第一のプレート中の複数の駆動電極に電圧を印加する工程；
該第二のプレート中の1つまたは複数の接地電極に電圧を印加する工程；
該1つまたは複数の接地電極に電圧を印加しながら、複数の感知回路において充電電圧を同時並行的に感知する工程であって、各駆動電極が該複数の感知回路からの別個の感知回路と関連付けられている、工程；および
感知された該充電電圧に基づいて、該複数の駆動電極に対する該1つまたは複数の小滴の位置を決定する工程
を含む方法。
[本発明1014]
複数の駆動電極に電圧を印加する工程および1つまたは複数の接地電極に電圧を印加する工程が、同じ高電圧源からの電圧を印加することを含む、本発明1013の方法。
[本発明1015]
複数の駆動電極に電圧を印加する工程が、隣接する駆動電極に順次に電圧を印加することを含む、本発明1013の方法。
[本発明1016]
1つまたは複数の小滴の決定された位置に基づいて複数の駆動電極のうちの1つまたは複数に電圧を再び印加する工程をさらに含む、本発明1013の方法。
[本発明1017]
第二のプレート中の1つまたは複数の接地電極に電圧を印加する工程が、第一のプレート中の駆動電極に電圧を印加せずに、該1つまたは複数の接地電極に電圧を印加することを含む、本発明1013の方法。
[本発明1018]
1つまたは複数の接地電極に電圧を印加する前に、第一のプレート中の各感知回路において電圧を放電する工程をさらに含む、本発明1013の方法。
[本発明1019]
1つまたは複数の接地電極に電圧を印加しているとき、第一のプレート中の複数の感知回路の各感知回路中のコンデンサを充電する工程をさらに含む、本発明1013の方法。
[本発明1020]
1つまたは複数の接地電極に電圧を印加する前に各感知回路において電圧を放電し、次いで、該1つまたは複数の接地電極に電圧を印加しているとき、該複数の感知回路の各感知回路中のコンデンサを充電する工程をさらに含む、本発明1013の方法。
[本発明1021]
1つまたは複数の小滴の位置を決定する工程が、感知された充電電圧を所定の値または値の範囲と比較して、小滴が駆動電極上にあるかまたは駆動電極に隣接しているかを決定することを含む、本発明1013の方法。
[本発明1022]
1つまたは複数の小滴の位置を決定する工程が、感知された充電電圧を所定のしきい電圧値と比較して、小滴が駆動電極上にあるかまたは駆動電極に隣接しているかを決定することを含む、本発明1013の方法。
[本発明1023]
感知された充電電圧に基づいて1つまたは複数の小滴のサイズを決定する工程をさらに含む、本発明1013の方法。
[本発明1024]
1つまたは複数の小滴の決定された位置に基づいて小滴の動きを修正する工程をさらに含む、本発明1013の方法。
[本発明1025]
感知された充電電圧に基づいて蒸発速度を決定する工程をさらに含む、本発明1013の方法。
[本発明1026]
デジタルマイクロフルイディクス（DMF）装置において複数の小滴のサイズまたは位置を同時に決定する方法であって、
第一のプレートと第二のプレートとの間のギャップ内で1つまたは複数の小滴を動かすために該第一のプレート中の複数の駆動電極に電圧を印加する工程；
該第一のプレート中の該複数の駆動電極に電圧を印加していないとき、複数の感知回路の各感知回路において電圧を放電する工程であって、各駆動電極が該複数の感知回路からの別個の感知回路と関連付けられている、工程；
該電圧を放電したのち、該第二のプレート中の1つまたは複数の接地電極に電圧を印加する工程；
該1つまたは複数の接地電極に電圧を印加しながら、各感知回路において充電電圧を同時並行的に感知する工程；および
感知された該充電電圧に基づいて、該複数の駆動電極に対する該1つまたは複数の小滴のサイズまたは位置を決定する工程
を含む方法。